(57)【特許請求の範囲】
【請求項１】
ケース本体から突出して部材側面に軸孔を穿設した２つの表示体支持部材と、扇型に形成された両側面から前記各軸孔にそれぞれ挿通する軸部材を突出するとともに曲面部に必要な表示内容を表示した可動表示体と、この可動表示体の回動方向先端側に位置する端面に当接する傾斜面形成部材を後端部中央の外面側に突設した押しボタンと、前記可動表示体に一端を当接し、前記ケース本体の外壁面に他端を当接して、前記軸部材を中心に前記可動表示体を前記押しボタン側へ回動する付勢力を与える弾性部材とからなる
ことを特徴とするプッシュスイッチの表示装置。
【請求項２】
前記可動表示体には、幅方向中央部に切欠き部を刻設し、その切欠き部の回動方向先端側に位置する端面との角部に前記傾斜面形成部材との当接用突出部を突設したことを特徴とする請求項１記載のプッシュスイッチの表示装置。
【請求項３】
前記傾斜面形成部材を前記押しボタンの上面中央部から斜め上方に突設するとともに、前記傾斜面形成部材の可動表示体当接面には後端部に前端部よりも傾斜角を大きくした部位を設けることを特徴とする請求項１記載のプッシュスイッチの表示装置。
【請求項４】
前記弾性部材が金属製のねじりばねであることを特徴とする請求項１記載のプッシュスイッチの表示装置。
【請求項５】
請求項１乃至４のいずれかに記載のプッシュスイッチの表示装置を浄水原水吐出の切換操作が行われるヘッド部に設けたことを特徴とする切換表示付き浄水シャワーヘッド。
【請求項６】
請求項１乃至４のいずれかに記載のプッシュスイッチの表示装置を浄水原水吐出の切換操作が行われる本体部に設けたことを特徴とする切換表示付き浄水器。
【発明の詳細な説明】
【０００１】
【発明の属する技術分野】
本発明は、プッシュスイッチの往復動に連動して製品の設定状態を表示するプッシュスイッチの表示装置、切換表示付き浄水シャワーヘッド及び切換表示付き浄水器に関する。
【０００２】
【従来の技術】
従来、蛇口に直接取付ける小型の浄水器であって、操作する者に吐出状態が浄水吐出か原水吐出かを理解できるようにするための表示装置を設けたものがある（例えば、特許文献１参照）。この表示装置は、浄水器の吐出切換を行なう本体部に設けられ、回動自在に連結されたレバーの操作により回転する軸に軸支された歯車とこの歯車に噛合う歯車を介して表示内容が記載された円筒形の表示ロールを回転させることにより表示が切り換えられる。
【０００３】
また、押しボタンの停止位置に応じて表示を切り換えることができる押しボタンスイッチを形成したものがある（例えば、特許文献２参照）。この押しボタンスイッチは、押しボタンスイッチの内部に側面形状が扇型の表示回転体が組み込まれ、押しボタンスイッチの操作部に透視窓を設けて、押しボタンスイッチの動作に従い動作内容に合う表示を透視窓に出すようになっている。
【０００４】
さらにまた、プッシュスイッチのスイッチレバーにつまみを固定し、このつまみ内に側面形状が扇型の表示体を回転可能に収容し、つまみの押圧時に表示体が回転してつまみに設けた表示窓から表示体の曲面に設けた表示部を露出して表示内容を示すことができるようにしたものがある（例えば、特許文献３参照）。
【０００５】
【特許文献１】
特開2001−162272号公報  （第4−5頁、第9図、第10図）
【特許文献２】
特開2000−299030号公報  （第3−4頁、第2図、第3図）
【特許文献３】
実開平01−166390号公報  （特許請求の範囲、第1図、第2図、第3図）
【０００６】
〔従来技術の問題点〕
このような従来の技術においては、特許文献１の例では、操作部と離れた位置に設けられた表示部との間には歯車装置を介在しているため部品点数が多く、生産上コスト高となり、また設計、製作及び取扱いが簡略化しにくく、さらに、一方向に回転することによって切り換わる表示装置であるため、往復動する部材に直接的には適用することができない等の問題点があった。
【０００７】
また、特許文献２の例では押しボタンスイッチの内部に表示回転体が組み込まれ、特許文献３の例ではつまみ内に表示体を収容して、表示回転体又は表示体のどちらも、曲面部に切換表示の内容が表示されている側面形状を扇型にした部材の要の部分に軸部材を設けて、この軸部材を中心に回動するように形成して、小型化するとともに往復動する部材に適用できる形態にしているが、表示回転体及び表示体を内蔵型に形成したことにより操作部と離れた位置に設けることができず、またカム機構部に細長いピン状の突起部を設けて小型化したことにより製造及び取扱いが容易でなく、破損し易い等の問題点が生じていた。
【０００８】
【発明が解決しようとする課題】
本発明は、従来の技術における前記問題点に鑑みて成されたものであり、これらを解決するため具体的に設定した技術的な課題は、往復動する操作部と離れた位置に設けられる表示部との間に介在して、構成が簡素で、浄水器の吐出口やシャワーヘッドのヘッド部等に適用することができる程度に小型化したプッシュスイッチの表示装置、切換表示付き浄水シャワーヘッド及び切換表示付き浄水器を提供することにある。
【０００９】
【課題を解決するための手段】
前記課題を達成するため具体的に構成した本発明における請求項１に係るプッシュスイッチの表示装置は、ケース本体から突出して部材側面に軸孔を穿設した２つの表示体支持部材と、扇型に形成された両側面から前記各軸孔にそれぞれ挿通する軸部材を突出するとともに曲面部に必要な表示内容を表示した可動表示体と、この可動表示体の回動方向先端側に位置する端面に当接する傾斜面形成部材を後端部中央の外面側に突設した押しボタンと、前記可動表示体に一端を当接し、前記ケース本体の外壁面に他端を当接して、前記軸部材を中心に前記可動表示体を前記押しボタン側へ回動する付勢力を与える弾性部材とからなることを特徴とするものである。
【００１０】
これにより、往復動する操作部と離れた位置に設けられる表示部との間に、可動表示体に一端を当接しケース本体の外壁面に他端を当接した弾性部材により、軸部材を中心に可動表示体を回動可能に設けることができて、往復動する押しボタンの動作に連動して可動表示体を回動することができ、可動表示体の曲面部に表示された複数の表示内容を切り換えて表示することができるようになる。そして構成が簡単で、可動表示体、弾性部材、表示体支持部材及び表示窓等の少ない部品追加で済み、しかも小型化できて、安く、多くの製品に適用可能な表示装置が実現する。
【００１１】
また、請求項２に係るプッシュスイッチの表示装置は、前記可動表示体の幅方向中央部に切欠き部を刻設し、その切欠き部の回動方向先端側に位置する端面との角部に前記傾斜面形成部材との当接用突出部を突設したことを特徴とする。これにより、可動表示体のカムフォロア機能を達成するための部位が明確になり、前記傾斜面形成部材に対する当接が容易となり、動作をより確実にする。
【００１２】
また、請求項３に係るプッシュスイッチの表示装置は、前記傾斜面形成部材を前記押しボタンの上面中央部から斜め上方に突設するとともに、前記傾斜面形成部材の可動表示体当接面には後端部に前端部よりも傾斜角を大きくした部位を設けることを特徴とする。これにより、傾斜面形成部材のカム機能を達成するための部位が可動表示体と確実に当接して可動表示体を回動できるようにする。
【００１３】
また、請求項４に係るプッシュスイッチの表示装置は、前記弾性部材が金属製のねじりばねであることを特徴とする。これにより、表示動作を確実にするとともに信頼性を高め、しかも弾性部材を小さくすることができて、表示装置全体の小型化を容易にする。
【００１４】
また、請求項５に係る切換表示付き浄水シャワーヘッドは、請求項１乃至４のいずれかに記載のプッシュスイッチの表示装置を浄水原水吐出の切換操作が行われるヘッド部に設けたことを特徴とする。これにより、押しボタン型操作部を有する浄水シャワーヘッドが押しボタンから離れた位置に表示部を設けることができる。
【００１５】
また、請求項６に係る切換表示付き浄水器は、請求項１乃至４のいずれかに記載のプッシュスイッチの表示装置を浄水原水吐出の切換操作が行われる本体部に設けたことを特徴とする。これにより、押しボタン型操作部を有する浄水器が押しボタンから離れた位置に表示部を設けることができる。
【００１６】
【発明の実施の形態】
本発明における以下の実施の形態では、切換表示付き浄水シャワーヘッドのヘッド部にプッシュスイッチの表示装置を設けた場合について図示説明する。
なお、この実施の形態は、発明の趣旨をより良く理解させるため具体的に説明するものであり、特に指定のない限り、発明内容を限定するものではない。
【００１７】
〔構成〕
切換表示付き浄水シャワーヘッドのヘッド部は、図１に示すように、流路形成部１の外壁面１ａの前面側に流路切換操作部２を配置し、その流路切換操作部２の中央部に押しボタン３が位置し、この押しボタン３の上面側に可動表示体（表示ドラム）４を配置するための表示体支持部材５，５を突設し、可動表示体４と表示体支持部材５，５との間には弾性部材としての金属製のねじりばね６を介装して、フリーな状態では押しボタン３側へ可動表示体４が回動するようにばね付勢する。
【００１８】
流路形成部１及び流路切換操作部２の外周部を覆うカバー７の前面には、押しボタン３が貫通する孔７ａを穿設し、この孔７ａの穿設位置から僅かに上方に離れた位置に表示窓８を穿設する。この表示窓８には透明窓部材９が嵌め込まれ、可動表示体４の表示内容が透明窓部材９を介して表示窓８から見えるようにする。透明窓部材９は、アクリル板のような透明な材料によりカバー７の外面形状に合わせた曲面を有する表示面を形成し、下端面から２本の脚９ａ，９ａを垂下し、後端面の中央部下半部には矩形状突起を突出してカバー７の表示窓８側に設けられた係合溝８ａに係合する嵌込用係合部９ｂを形成し、嵌め込みにより表示窓８に組み付けられるようにする。
【００１９】
図２，３に示すように、押しボタン３は、正面断面形状が略矩形で正面側の端面が傾斜した湾曲面に形成されており、この湾曲面に形成された面を指で押圧する押圧面３ａとして用いるものとし、この押圧面３ａをヘッド部の前面側に位置するように配置する。この押しボタン３の上面側の幅方向中央部には傾斜面形成部材３ｂを後上方へ突設し、そして傾斜面形成部材３ｂの可動表示体当接面３ｃには後端部に前端部よりも傾斜角を大きくして可動表示体当接面３ｃよりも高さＨだけ斜面を高くした表示体押圧部位３ｄを設け、可動表示体４の幅方向中央部の回動方向先端側に位置する端面４ｃに当接して、押しボタン３の動作時に回動させる力を可動表示体４に伝達することができるようにする。
【００２０】
図４，５に示すように、可動表示体４は、略円柱形状の部材を周上４等分して形成した１／４円柱ドラム形状の部材に形成し、扇型に形成された両側面の要部分から軸部材４ａ，４ａを突出し、曲面部４ｂに必要な表示内容（例えば、浄水、原水等）を表示して用いるものとする。この可動表示体４の平面部（端面４ｃ）の幅方向中央部には切欠き部４ｄを刻設し、その切欠き部４ｄの回動方向先端側に位置する端面４ｃとの角部に押しボタン３の傾斜面形成部材３ｂに対する当接用突出部４ｅを突設する。そして、扇型に形成された側面の一方には、軸部材４ａを突出する他に、ねじりばね６の収納部となる凹部４ｆを刻設し、回動方向先端側に位置する端面側に縁取りを残してねじりばね６の一端部の係止用縁取り部４ｇを形成し、この係止用縁取り部４ｇから距離をあけてばね端部の外れ防止用ピン４ｈを植立する。更に、軸部材４ａ，４ａの先端面は扇型の要側に位置する側の半分を削り落として傾斜面４ｉを形成し、組付け時の作業性を良くする。
【００２１】
図６，７に示すように、表示体支持部材５，５は、ケース本体の流路形成部１の外壁面１ａから突出して部材側面に各軸孔５ａ，５ａを穿設した板状ブラケットとして形成する。この２つの表示体支持部材５，５はそれぞれ対向する面に上端から各軸孔５ａ，５ａの中心位置まで達する孔径と同じ幅の傾斜溝５ｂ，５ｂを刻設して、可動表示体４のそれぞれの軸部材４ａ，４ａが各傾斜面４ｉ，４ｉを表示体支持部材５，５の傾斜溝５ｂ，５ｂに滑り込ませることにより各軸孔５ａ，５ａに嵌め込まれるようにして、作業性を向上して組み付け易くなるようにする。また表示体支持部材５，５は、各軸孔５ａ，５ａよりも先端側に位置する部分５ｃ，５ｃを押しボタン３の配設位置まで延設して、押しボタン３が上方へ飛び出さないように位置規制する規制部材として機能するように形成する。
また、各表示体支持部材５，５に挟まれた外壁面１ａには、表示体支持部材５と表示体支持部材５との中間部に、押しボタン３が押し込み方向へ押圧された時に傾斜面形成部材３ｂが外壁面１ａに当たらないようにするための逃し溝１ｂを形成する。
【００２２】
弾性部材としてのねじりばね６は、ばね鋼或いはバネ用ステンレス鋼製で有効巻き数３とし、端部の直線部の長さは巻回部の直径と同じ長さ以上の長さにする。ねじりばね６の巻回部を可動表示体４の軸部材４ａに外嵌した場合には、直線部の一方（一端）を可動表示体４の係止用縁取り部４ｇとばね端部の外れ防止用ピン４ｈとの間に配置し、他方（他端）をケース本体の流路形成部１の外壁面１ａに当接し、押しボタン３から突出した傾斜面形成部材３ｂの可動表示体当接面３ｃに可動表示体４の押しボタン側の端面４ｃを当接する方向へ回動するように付勢力が作用する向きに、ねじりばね６の向きを向けて組付け、軸部材４ａ，４ａを中心にして可動表示体４を回動するための回転力を与える。
【００２３】
〔動作〕
このプッシュスイッチの表示装置では、押しボタン３を押し込む方向へ操作すると、図８に示すように、押しボタン３に突設した傾斜面形成部材３ｂの表示体押圧部位３ｄと可動表示体当接面３ｃとが、可動表示体４のばね付勢方向先端側に位置する端面４ｃに設けられた当接用突出部４ｅから離れ、ねじりばね６の付勢力により可動表示体４の端面４ｃが押しボタン３に近接する方向へ回動して、表示を押しボタン押圧時の内容（例えば、浄水）にする。
【００２４】
反対に、押しボタン３を引き戻す方向へ操作することにより、図９に示すように、押しボタン３の上面に突設している傾斜面形成部材３ｂの可動表示体当接面３ｃと表示体押圧部位３ｄとが、可動表示体４の端面４ｃに設けられた当接用突出部４ｅに当接して、端面４ｃの先端側を押し上げる方向へ押圧して、ねじりばね６の付勢力に抗して可動表示体４を逆回転方向へ回動させることにより、表示を押しボタン押圧解除時の内容（例えば、原水）に変える。
【００２５】
〔作用効果〕
このように構成した実施の形態においては、押しボタン３に設けた傾斜面形成部材３ｂと可動表示体４の端面４ｃに設けられた当接用突出部４ｅとがカム機構を形成して、押しボタン３の動作と可動表示体４の切換動作とが連動する新しい切換表示機構を構成することができ、押しボタン３の操作による浄水吐出か原水吐出か等の操作内容に対応する流路切換表示が確実にできる。
【００２６】
従来の浄水シャワーヘッドに対して傾斜面形成部材３ｂを設けた押しボタン３、可動表示体４、表示体支持部材５，５、ねじりばね６及び透明窓部材９を設けることにより、操作部と離れた位置に表示部を設けるプッシュスイッチの表示装置が構成でき、部品点数が少なく、低コストな表示装置が実現できる。
また外観の一部を透明窓に変更するだけで済み、浄水シャワーヘッドの外観を損ねることなくプッシュスイッチ用の表示装置を収蔵することができる。
表示窓はヘッド部の正面に設けられるため、使用者が浄水を吐出する際には、特に覗き込んだりしなくても、流路切換表示を容易に確認することができる。
【００２７】
【発明の効果】
以上のように本発明における請求項１に係るプッシュスイッチの表示装置は、往復動する操作部と離れた位置に設けられる表示部との間に、可動表示体に一端を当接しケース本体の外壁面に他端を当接した弾性部材により、軸部材を中心に可動表示体を回動可能に設けることができて、往復動する押しボタンの動作に連動して可動表示体を回動することができ、可動表示体の曲面部に表示された複数の表示内容を切り換えて表示することができるようになる。そして構成が簡単で、可動表示体、弾性部材、表示体支持部材及び表示窓等の少ない部品追加で済み、しかも小型化できて、安く、多くの製品に適用可能な表示装置を実現することができる。
【００２８】
また、請求項２に係るプッシュスイッチの表示装置は、可動表示体のカムフォロア機能を達成するための部位が明確になり、前記傾斜面形成部材に対する当接が容易となり、動作をより確実にする。
また、請求項３に係るプッシュスイッチの表示装置は、傾斜面形成部材のカム機能を達成するための部位が可動表示体と確実に当接して可動表示体を回動できるようにする。
また、請求項４に係るプッシュスイッチの表示装置は、表示動作を確実にするとともに信頼性を高め、しかも弾性部材を小さくすることができて、表示装置全体の小型化を容易にする。
【００２９】
また、請求項５に係る切換表示付き浄水シャワーヘッドは、押しボタン型操作部を有する浄水シャワーヘッドが押しボタンから離れた位置に表示部を設けることができる。
また、請求項６に係る切換表示付き浄水器は、押しボタン型操作部を有する浄水器が押しボタンから離れた位置に表示部を設けることができる。
【図面の簡単な説明】
【図１】本発明の実施の形態における浄水シャワーヘッドのヘッド部に収蔵されたプッシュスイッチの表示装置を示す分解斜視図である。
【図２】同上プッシュスイッチの表示装置に用いられる押しボタンを示す斜視図である。
【図３】同上プッシュスイッチの表示装置に用いられる押しボタンを示す説明図であり、（Ａ）は縦断面図、（Ｂ）は（Ａ）で示す傾斜面形成部材の拡大断面図である。
【図４】同上プッシュスイッチの表示装置に用いられる可動表示体を示す説明図であり、（Ａ）は平面図、（Ｂ）は左側面図である。
【図５】同上プッシュスイッチの表示装置に用いられる可動表示体を示す縦断面図である。
【図６】同上プッシュスイッチの表示装置の表示体支持部材を示す部分断面側面図である。
【図７】同上プッシュスイッチの表示装置の表示体支持部材を示す拡大説明図であり、（Ａ）は側面図、（Ｂ）は（Ａ）で示すＡ−Ａ線に沿う断面図である。
【図８】同上プッシュスイッチの表示装置の押しボタン操作を示す説明図であり、（Ａ）は正面図、（Ｂ）は押し込み操作（浄水吐出）時を示す部分断面図である。
【図９】同上プッシュスイッチの表示装置の押しボタン操作を示す説明図であり、（Ａ）は正面図、（Ｂ）は引き戻し操作（原水吐出）時の部分断面図である。
【符号の説明】
１  流路形成部
１ａ  外壁面
１ｂ  逃し溝
２  流路切換操作部
３  押しボタン
３ａ  押圧面
３ｂ  傾斜面形成部材
３ｃ  可動表示体当接面
３ｄ  表示体押圧部位
４  可動表示体
４ａ  軸部材
４ｂ  曲面部
４ｃ  端面
４ｄ  切欠き部
４ｅ  当接用突出部
４ｆ  凹部
４ｇ  係止用縁取り部
４ｈ  外れ防止用ピン
４ｉ  傾斜面
５  表示体支持部材
５ａ  軸孔
５ｂ  傾斜溝
６  ねじりばね
７  カバー
７ａ  孔
８  表示窓
８ａ  係合溝
９  透明窓部材
９ａ  脚
９ｂ  嵌込用係合部
【図１】
0003668216.tif 000002
【図２】
0003668216.tif 000003
【図３】
0003668216.tif 000004
【図４】
0003668216.tif 000005
【図５】
0003668216.tif 000006
【図６】
0003668216.tif 000007
【図７】
0003668216.tif 000008
【図８】
0003668216.tif 000009
【図９】
0003668216.tif 000010